(57)【要約】【課題】テレビカメラ用箱型レンズの前面ガラスに付着した雨水を拭き取るワイパ装置において、狭い設置スペースにおいても、簡単な構造で良好な拭き取り性能を発揮するワイパ装置を提供すること。【解決手段】テレビカメラ用箱型レンズの前面ガラスに付着した雨水を拭き取るワイパ装置において、ブレードをガラス面に付勢する弾性部材を介して、ガラスと平行にスライド可能なスライド部材と連結されたブレードと、ブレードをガラスと平行な方向に付勢する弾性部材を介して保持する保持枠とからなり、保持枠のスライド部材との接触面は、ガラス面に対して傾斜を持っていることを特徴とする構成とした。【選択図】  図１
2014236253.tif 000002
【特許請求の範囲】
【請求項１】
テレビカメラ用箱型レンズの前面ガラスに付着した雨水を拭き取るワイパ装置において、ブレードをガラス面に付勢する弾性部材を介して、ガラスと平行にスライド可能なスライド部材と連結されたブレードと、ブレードをガラスと平行な方向に付勢する弾性部材を介して保持する保持枠を有することを特徴とするワイパ装置。
【請求項２】
前記ブレードと保持枠とを連結する弾性部材は、コイルばねであることを特徴とする請求項１に記載のワイパ装置。
【請求項３】
前記保持枠のスライド部材との接触面は、ガラス面に対して水平部と傾斜部を有していることを特徴とする請求項1に記載のワイパ装置。
【請求項４】
前記保持枠のスライド部材との接触面は、接触位置によってガラス面に対して水平または傾斜状態に変化することを特徴とする請求項1に記載のワイパ装置。
【発明の詳細な説明】
【技術分野】
【０００１】
本発明は、ワイパ装置に係わり、特にテレビカメラ用レンズのガラスに付着した雨水を拭き取るためのワイパ装置に関する。
【背景技術】
【０００２】
従来、放送用のテレビレンズを屋外で使用する場合、雨天や降雪などの天候を想定し、電動式のワイパ装置を用いて、ガラス表面に付着した雨水を拭き取り、クリアな映像を維持するように対策が施されている。
【０００３】
図７は、その構造を示したものである。
【０００４】
ワイパユニット４は、ボルト１５で連結板１３に固定され、連結板１３は、アーム１６と連結されている。
【０００５】
アーム１６は、リンク機構２２を介して駆動モータ軸２３に接続されることによって、ワイパ動作を行うようになっている。
【０００６】
ワイパユニット４は、平面ガラス２４に一定の圧力をかけた状態で接触し、ワイパ動作によって、有効撮影範囲２４ａに付着した雨水を拭き取る。
【０００７】
また、ワイパユニット４は、フード２の内側に収まるように、配置されている。
【０００８】
特許文献１は、ブレードを2段階の伸縮構造とし、ブレード先端に固定されたコロが保護ガラスの外周を回転するように配置することによってブレードの伸縮動作が行われるようにする。また、伸縮ブレードがワイパの駆動軸中心方向に付勢されるようにし、ブレードが伸ばされるときには一定のテンションがかかるようにしている。
【０００９】
特許文献２は、1対の平行レールを保護ガラスをまたぐように上下に配置し、ブレードをこのレールに沿ってスライド自在に装着し、回動アームによってブレードを左右に駆動させる。
【先行技術文献】
【特許文献】
【００１０】
【特許文献１】特開平５−１４５８１４号公報
【特許文献２】特開平５−４８９４０号公報
【発明の概要】
【発明が解決しようとする課題】
【００１１】
しかしながら、図７に示すような従来構造は、レンズ外径に対して必要最小限のフード形状となっているため、ワイパ装置を内蔵した時のブレードの退避エリアとしては充分ではない。
【００１２】
このため、雨量の差によってガラスとブレードの摩擦力に大きな差がある場合、拭き取り性能を低下させずに退避エリアにきちんと退避させるように、ブレード接触圧の調整に多くの時間をかけないと、途中で止まってしまったり、行き過ぎたりしてしまう。
【００１３】
また、退避エリアまでモータ駆動させてしまうと、フード側面に干渉して、衝撃音を発生させてしまうので、フードの大型化を余儀なくされてしまう。
【００１４】
さらに、上述の特許文献1に開示された従来技術では、ブレードをスライド構造にしたことに加え、ローラーが枠体の外周を駆動するエリアを確保しなければならないので、フード外径も大型化してしまう。
【００１５】
特許文献２に開示された従来技術では、1対のスライドレールが構造を複雑にし、レールのスペースが上下に必要になることから、大型化にもつながってしまう。
【００１６】
そこで、本発明の目的は、テレビカメラ用箱型レンズの前面ガラスに付着した雨水を拭き取るワイパ装置において、狭い設置スペースにおいても、簡単な構造で良好な拭き取り性能を発揮するワイパ装置を提供することである。
【課題を解決するための手段】
【００１７】
上記目的を達成するために、本発明のワイパ装置は、ブレードをガラス面に付勢する弾性部材を介して、ガラスと平行にスライド可能なスライド部材と連結されたブレードと、ブレードをガラスと平行な方向に付勢する弾性部材を介して保持する保持枠とからなり、保持枠のスライド部材との接触面は、ガラス面に対して傾斜を持っていることを特徴とする。
【発明の効果】
【００１８】
本発明によれば、テレビカメラ用箱型レンズの前面ガラスに付着した雨水を拭き取るワイパ装置において、狭い設置スペースにおいても、簡単な構造で良好な拭き取り性能を発揮するワイパ装置を提供することができる。  また、ブレード接触面の取付圧調整にかかる時間も大幅に短縮することが可能である。
【図面の簡単な説明】
【００１９】
【図１】本発明の実施例１であるワイパ駆動装置の全体図
【図２】実施例１であるワイパブレードの詳細図
【図３】実施例１である詳細図のＡＡ断面図
【図４】実施例１であるワイパブレードとブレード保持枠の非同期状態図
【図５】本発明の実施例２であるワイパブレードの詳細図
【図６】実施例２であるワイパブレードと保持枠の非同期状態図
【図７】従来例であるワイパ装置の全体図
【発明を実施するための形態】
【００２０】
以下に、本発明の好ましい実施の形態を、添付の図面に基づいて詳細に説明する。図１は、本発明の実施形態にかかわるワイパ装置の全体図である。
【００２１】
［実施例１］
以下、図1から図４を参照して、本発明の第1の実施例によるワイパ装置のブレード部の詳細構造について説明する。
【００２２】
図１において、１はレンズ本体、２はフード、３はレンズ本体１に固定された平面ガラスである。４はワイパユニットで、平面ガラス３に付着した雨水を拭き取るように組み込まれている。
【００２３】
図２および図３によって、ワイパユニット４の詳細構造について説明する。
【００２４】
図２、図３において、５はブレードゴムで、ブレードゴム枠６によって保持されている。また、ブレードゴム５の先端５ａは、平面ガラス３に接触している。
【００２５】
７はスライド部材で、板バネ８を介してブレードゴム枠６と連結されており、それによってブレードゴム先端５ａは、平面ガラス３に対して一定の摩擦力Ｆ１をもった状態で接触している。
【００２６】
９はブレード保持枠で、スライド部材７を平面部９ａで支えている。１０はＢ−Ｂ‘方向の移動の規制ピンで、規制溝９ｂによってずれを抑えており、ブレードゴム枠６に固定されている。
【００２７】
１１はＣ−Ｃ‘方向（平面ガラス３を正面に見て、時計方向、反時計方向に回転する方向）の規制ピンで、規制溝９ｃによって倒れを抑えており、スライド部材７に固定されている。
【００２８】
さらに、スライド部材７は、突起９ｄおよび座７ａによって保持されたコイルバネ１２によって支持力Ｆ２の力で支えられている。また、９ｅはブレードゴム５の接触圧をコントロールする傾斜部である。
【００２９】
１３は連結板で、連結棒１４が固定されており、ワイパユニット４は、ボルト１５で連結板１３に固定され、アーム１６はセットビス１７で連結棒１４に固定される。
【００３０】
アーム１６は、従来例で示したリンク機構２２を介して駆動モータ軸２３と接続され、ワイパ駆動動作が行われる（ここでは不図示）。
【００３１】
上記構成において、Ｆ１＜Ｆ２のとき、スライド部材７は、コイルバネ１２によって平面部９ａの位置を維持しながら、ワイパ動作が行われる。
【００３２】
図４によって、Ｆ１＞Ｆ２のときのブレードの状態について説明する。
【００３３】
符号については、図２、図３での説明の通りである。
【００３４】
上記構成において、Ｆ１＞Ｆ２のとき、Ｆ１によって、ブレードゴム５、板バネ８、スライド部材７は、その時点で静止状態になる。したがって、ブレード保持枠９のみが駆動され、スライド部材７はブレード保持枠９の傾斜部９ｅの位置に接触する。
【００３５】
これにより、板バネ８による押圧が下がり、Ｆ１が低下する。また、コイルバネ１２は徐々に圧縮され、Ｆ２の値は増加し、ある時点で再びＦ１＜Ｆ２の関係に戻る。
【００３６】
スライド部材７は、コイルバネ１２によって平面部９ａの位置に押し上げられ、再びワイパ動作が行われるような状態に復帰する。
【００３７】
本実施形態によれば、テレビカメラ用箱型レンズの前面ガラスに付着した雨水を拭き取るワイパ装置において、狭い設置スペースにおいても、簡単な構造で良好な拭き取り性能を発揮するワイパ装置を提供することができるという効果がある。
【００３８】
［実施例２］
以下、図５、図６を参照して、本発明の第２の実施例によるワイパ装置のブレード部の詳細構造とＦ１＞Ｆ２のときのブレードの状態について説明する。
【００３９】
図５、図６において、１８はスライド部材で、板バネ８を介してブレードゴム枠６と連結されており、それによってブレードゴム先端５ａは、平面ガラス３に対して一定の摩擦力Ｆ１をもった状態で接触している。１９はブレード保持枠である。２０はシーソーで、回転ピン２１を介してブレード保持枠１９の側壁１９ａに回転自在に固定されている。
【００４０】
スライド部材１８は、突起部１８ａでシーソー２０に接触し、シーソー２０は、ブレード保持枠１９の第１ストッパ面１９ｅに接触することによって、支えられている。
【００４１】
１９ｆは第２ストッパ面で、Ｆ１＞Ｆ２となった時に、シーソー２０と接触する。１８ｂ、１９ｂ、１９ｃ、１９ｄは、それぞれ実施例１の説明における７ａ、９ｂ、９ｃ、９ｄに相当する。その他の符号に関しては、実施例１の説明の通りである。
【００４２】
上記構成において、Ｆ１＞Ｆ２のとき、Ｆ１によって、ブレードゴム５、板バネ８、スライド部材１８は、その時点で静止状態になる。したがって、ブレード保持枠１９のみが駆動され、スライド部材１８の突起１８ａは回転ピン２１より右側に移動し、シーソー２０が回転してブレード保持枠１９の第２ストッパ面１９ｆに接触する。
【００４３】
これにより、板バネ８による押圧が下がり、Ｆ１が低下する。また、コイルバネ１２は徐々に圧縮され、Ｆ２の値は増加し、ある時点で再びＦ１＜Ｆ２の関係に戻る。スライド部材１８の突起部１８ａは、コイルバネ１２によって回転ピン２１より左側へ押し上げられ、再びワイパ動作が行われるような状態に復帰する。
【００４４】
本実施形態によれば、実施例１と同様の効果がある。
【００４５】
以上、本発明の好ましい実施形態について説明したが、本発明はこれらの実施形態に限定されず、その要旨の範囲内で種々の変形及び変更が可能である。例えば、コイルバネをスライド部材ではなく、ブレードゴム枠に連結してもよい。
【符号の説明】
【００４６】
1                        レンズ本体
2                        フード  
3,24                     平面ガラス
4                        ワイパユニット
5                        ブレードゴム
5a                      ブレードゴム先端
6                        ブレードゴム枠
7,18                     スライド部材
７a,18b                  座
8                        板バネ
9,19                     ブレード保持枠
9a                       平面部
9b,9c 19b,19c            規制溝
9d,19d                   突起                       
9e                      傾斜部
10,11                    規制ピン
12                      コイルバネ
13                      連結板
14                      連結棒
15                      ボルト
16                      アーム
17                      セットビス
18a                     突起部
19a                      側壁
19e                      第1ストッパ面              
19f                      第２ストッパ面
20                       シーソー
21                       回転ピン
22                       リンク機構
23                       駆動モータ軸
24a                      有効撮影範囲
【図１】
2014236253.tif 000003
【図７】
2014236253.tif 000004
【図２】
2014236253.tif 000005
【図３】
2014236253.tif 000006
【図４】
2014236253.tif 000007
【図５】
2014236253.tif 000008
【図６】
2014236253.tif 000009